(57)【要約】【課題】  収容ケースを傾けるだけで、収容物を確実に一つずつ取りだすことができ、装飾物にもすることができる、従来にない興趣ある収容物取出装置を提供する。【解決手段】  収容物取出装置１は、基台２と、基台２に回動自在に設けられた収容ケース２０とからなる。収容ケース２０の下部には、収容ケース２０内に収容された収容物Ａを落下させる落下口７０が形成されている。基台２には、落下口７０に位置する収容物Ａを案内する案内面１０が形成され、収容ケース２０が回動して収容物Ａが案内面１０から外れると、落下口７０から収容物Ａが落下して、収容物Ａを取り出すことができる。【選択図】        図５
2005306396.tif 000002
【特許請求の範囲】
【請求項１】
基台と、
基台に回動自在に設けられた収容ケースとからなり、
収容ケースの下部には、収容ケース内に収容された収容物を落下させる落下口が形成され、
基台には、落下口に位置する収容物を案内する案内面が形成され、収容ケースが回動して収容物が案内面から外れると、落下口から収容物が落下して、収容物を取り出すことができることを特徴とする収容物取出装置。
【請求項２】
前記案内面は、前記収容ケースの落下口に近接して、落下口から収容物が落下するのを阻止するように、湾曲した凹部面状に形成され、
前記収容ケースの落下口の周囲は、前記案内面に接触しない、湾曲した凸部面状に形成されていることを特徴とする請求項１記載の収容物取出装置。
【請求項３】
前記収容ケースは、球体形状に形成されていることを特徴とする請求項１又は２記載の収容物取出装置。
【請求項４】
前記基台には、前記収容ケースの落下口が略下部に位置している時に、一方側に回動しないように規制する規制手段が設けられていることを特徴とする請求項１、２又は３記載の収容物取出装置。
【請求項５】
前記収容ケース内には、収容物を前記落下口に案内するガイド部材が設けられ、
当該ガイド部材は、収容ケースの落下口が略下部に位置している時に、一方側から収容物を落下口に案内し、他方側及び上方側から収容物を落下口に案内しないように形成されていることを特徴とする請求項４記載の収容物取出装置。
【請求項６】
収容物を収容し、当該収容された収容物を取り出すことが可能な収容物取出装置であって、
少なくとも一部が平板状に形成された下面と、下面方向に凸状に湾曲した案内面が形成された上面を有する基台と、
当該基台の上面に設けられた支持部材と、
表面を有し、内部に前記収容物を収容可能な収容空間を有する収容ケースと、
収容ケースの前記表面に設けられ前記収容空間と連通し前記収容物が進入可能な落下口であって、所定の厚みを有する周縁を有する前記落下口と、
からなり、
前記収容ケースは、前記落下口と前記案内面との間に前記収容物が進入不可能な隙間が形成されるように前記支持部材に回動可能に取り付けられ、回動することにより前記落下口を前記案内面と対向する位置から前記案内面と対向しない位置まで前記隙間を保持しつつ移動させることが可能であり、
前記収容物取出装置は、前記基台の下面が重力方向に対して略垂直となるように前記基台を接地させたとき起立可能であり、起立しているときに、前記落下口を前記案内面と対向せしめることにより、重力に応じて前記落下口に前記収容物を進入させるとともに前記案内面に当接せしめ、前記収容ケースが回動することにより、前記落下口に進入した収容物を前記案内面に当接させつつ前記落下口の周縁により移動させ、前記落下口が前記案内面と対向しない位置まで移動することにより、重力に応じて前記落下口に進入した前記収容物を前記落下口より落下させて取り出すことが可能である
を特徴とする収容物取出装置。
【発明の詳細な説明】
【技術分野】
【０００１】
本願発明は、ラムネ、ガム、小球等の収容物を一つずつ取り出すことができる収容物取出装置に関する。
【背景技術】
【０００２】
従来の収容物取出装置は、収容ケースと、収容ケースの開口に開閉自在に設けられた蓋部材とからなり、蓋部材に収容ケース内の収容物を一つ入れることができる収容凹部が形成され、蓋部材を開いて収容ケースを傾けると、蓋部材の収容凹部に入っている収容物が一つ取り出せることができるようになっている（例えば、特許文献１）。
【特許文献１】特開平８−２９５３７５号公報
【発明の開示】
【発明が解決しようとする課題】
【０００３】
上記従来の収容物取出装置は、蓋部材を開く動作により、開口が開放されて、開口からから収容ケース内の収容物が大量に出てしまう虞があるという問題点があった。また、上記従来の収容物取出装置は、片手で握って、親指等で蓋部材を開き、収容ケースを傾けて収容物を取りだすので、机等の平坦なところに置いては前記動作をすることができず、収容物を取り出すことができないという問題点があった。
【０００４】
本願発明は、上記問題点に鑑み案出したものであって、平坦な場所に置いて、収容ケースを傾けるだけで、収容物を確実に一つずつ取りだすことができ、装飾物にもすることができる、従来にない興趣ある収容物取出装置を提供することを目的とする。
【課題を解決するための手段】
【０００５】
本願請求項１に係る収容物取出装置は、上記目的を達成するため、基台と、基台に回動自在に設けられた収容ケースとからなり、収容ケースの下部には、収容ケース内に収容された収容物を落下させる落下口が形成され、基台には、落下口に位置する収容物を案内する案内面が形成され、収容ケースが回動して収容物が案内面から外れると、落下口から収容物が落下して、収容物を取り出すことができる。
【０００６】
本願請求項２に係る収容物取出装置は、上記目的を達成するため、前記案内面は、前記収容ケースの落下口に近接して、落下口から収容物が落下するのを阻止するように、湾曲した凹部面状に形成され、前記収容ケースの落下口の周囲は、前記案内面に接触しない、湾曲した凸部面状に形成されている。
【０００７】
本願請求項３に係る収容物取出装置は、上記目的を達成するため、前記収容ケースは、球体形状に形成されている。
【０００８】
本願請求項４に係る収容物取出装置は、上記目的を達成するため、前記基台には、前記収容ケースの落下口が略下部に位置している時に、一方側に回動しないように規制する規制手段が設けられている。
【０００９】
本願請求項５に係る収容物取出装置は、上記目的を達成するため、前記収容ケース内には、収容物を前記落下口に案内するガイド部材が設けられ、当該ガイド部材は、収容ケースの落下口が略下部に位置している時に、一方側から収容物を落下口に案内し、他方側及び上方側から収容物を落下口に案内しないように形成されている。
【００１０】
本願請求項６に係る収容物取出装置は、上記目的を達成するため、収容物を収容し、当該収容された収容物を取り出すことが可能な収容物取出装置であって、少なくとも一部が平板状に形成された下面と、下面方向に凸状に湾曲した案内面が形成された上面を有する基台と、当該基台の上面に設けられた支持部材と、表面を有し、内部に前記収容物を収容可能な収容空間を有する収容ケースと、収容ケースの前記表面に設けられ前記収容空間と連通し前記収容物が進入可能な落下口であって、所定の厚みを有する周縁を有する前記落下口とからなり、前記収容ケースは、前記落下口と前記案内面との間に前記収容物が進入不可能な隙間が形成されるように前記支持部材に回動可能に取り付けられ、回動することにより前記落下口を前記案内面と対向する位置から前記案内面と対向しない位置まで前記隙間を保持しつつ移動させることが可能であり、前記収容物取出装置は、前記基台の下面が重力方向に対して略垂直となるように前記基台を接地させたとき起立可能であり、起立しているときに、前記落下口を前記案内面と対向せしめることにより、重力に応じて前記落下口に前記収容物を進入させるとともに前記案内面に当接せしめ、前記収容ケースが回動することにより、前記落下口に進入した収容物を前記案内面に当接させつつ前記落下口の周縁により移動させ、前記落下口が前記案内面と対向しない位置まで移動することにより、重力に応じて前記落下口に進入した前記収容物を前記落下口より落下させて取り出すことが可能である。
【発明の効果】
【００１１】
本願発明に係る収容物取出装置は、基台により机等の平坦な所に載置することができるという効果がある。また、収容物が、収容ケースの下部に形成された落下口内に進入し、基台の案内面上に乗っており、収容ケースを回動して傾けると、落下口の周縁により収容物が案内面に沿って運ばれ、収容物が案内面から外れると、収容物が落下口から落下するので、落下口にある収容物を確実に取り出すことができるという効果がある。
【００１２】
本願発明に係る収容物取出装置は、上記効果に加え、前記収容ケースが球体形状に形成されているので、見た目が柔らかく、装飾物として利用し易いという効果がある。
【００１３】
本願発明に係る収容物取出装置は、上記効果に加え、規制手段により、収容ケースが一方側にしか回動しないので、収容物の取り出し位置を一つにすることができるという効果がある。
【００１４】
本願発明に係る収容物取出装置は、上記効果に加え、収容ケースの落下口が略下部に位置している時に、ガイド部材によって、一方側から収容物を落下口に案内し、他方側及び上方側から収容物を落下口に案内しないようになっており、収容ケースを回動し傾けると、落下口が下部の位置から上昇し、落下口に進入している収容物も上昇するが、落下口に進入している収容物の次の収容物は重力により下方に下がって落下口から離間し、落下口に進入している収容物は案内面から外れると落下口から落下するが、次の収容物は落下口から離れているので落下することがなく、そのため確実に一つずつ落下させることができるという効果がある。
【発明を実施するための最良の形態】
【００１５】
本願発明の実施の形態を図１乃至図５に基づいて説明する。図１は、本願発明に係る収容物取出装置の一つの実施の形態を示す全体斜視図である。図２は、図１の収容物取出装置の分解斜視図である。図３は、図１の収容物取出装置の正面断面図である。図４は、図１の収容物取出装置の側面断面図である。図５は、図１の収容物取出装置の動作を説明する側面断面図である。
【００１６】
収容物取出装置１は、基台２と、基台２に回動自在に設けられた収容ケース２０とからなる。収容ケース２０の下部には、収容ケース２０内に収容された収容物Ａを落下させる
落下口７０が形成されている。基台２には、落下口７０に位置する収容物Ａを案内する案内面１０が形成され、収容ケース２０が回動して収容物Ａが案内面１０から外れると、落下口７０から収容物Ａが落下して、収容物Ａを取り出すことができる。
【００１７】
前記案内面１０は、前記収容ケース２０の落下口７０に近接して、落下口７０から収容物Ａが落下するのを阻止するように、湾曲した凹部面状に形成されている。前記収容ケース２０の落下口７０の周囲７５は、前記案内面１０に接触しない、湾曲した凸部面状に形成されている。
【００１８】
前記収容ケース２０は、球体形状に形成されていても構わない。前記基台２には、前記収容ケース２０の落下口７０が略下部に位置している時に、一方側に回動しないように規制する規制手段３、４が設けられている。
【００１９】
前記収容ケース２０内には、収容物Ａを前記落下口７０に案内するガイド部材６０が設けられている。当該ガイド部材６０は、収容ケース２０の落下口７０が略下部に位置している時に、一方側から収容物Ａを落下口７０に案内し、他方側及び上方側から収容物Ａを落下口７０に案内しないように形成されている。
【００２０】
収容物取出装置１は、収容物Ａを収容し、当該収容された収容物Ａを取り出すことが可能であって、少なくとも一部が平板状に形成された下面２ｂと、下面２ｂ方向に凸状に湾曲した案内面１０が形成された上面２ａを有する基台２と、当該基台２の上面２ａに設けられた支持部材３，４と、表面２０ｂを有し、内部に前記収容物Ａを収容可能な収容空間２０ｃを有する収容ケース２０と、収容ケース２０の前記表面２０ｂに設けられ前記収容空間２０ｃと連通し前記収容物Ａが進入可能な落下口７０であって、所定の厚みを有する周縁７０ａを有する前記落下口７０とからなる。前記収容ケース２０は、前記落下口７０と前記案内面１０との間に前記収容物Ａが進入不可能な隙間が形成されるように前記支持部材３，４に回動可能に取り付けられ、回動することにより前記落下口７０を前記案内面１０と対向する位置から前記案内面１０と対向しない位置まで前記隙間を保持しつつ移動させることが可能である。前記収容物取出装置１は、前記基台２の下面２ｂが重力方向に対して略垂直となるように前記基台２を接地させたとき起立可能であり、起立しているときに、前記落下口７０を前記案内面１０と対向せしめることにより、重力に応じて前記落下口７０に前記収容物Ａを進入させるとともに前記案内面１０に当接せしめ、前記収容ケース２０が回動することにより、前記落下口７０に進入した収容物Ａを前記案内面１０に当接させつつ前記落下口７０の周縁７０ａにより移動させ、前記落下口７０が前記案内面１０と対向しない位置まで移動することにより、重力に応じて前記落下口７０に進入した前記収容物Ａを前記落下口７０より落下させて取り出すことが可能である。
【００２１】
さらに、収容物取出装置１について詳細に説明する。図１に示すように、収容物取出装置は、基台２と、基台２に回動自在に設けられた収容ケース２０とからなる。収容ケース２０は、球体形状に形成され、カエル等の動物形状のデザインが施されている。図２に示すように、基台２は、円板状に形成され、上面２ａの略中央に凹部１１が形成されている。また、基台２上面２ａの凹部１１の側方には、板状の支持部材３が基台２の上面２ａに略垂直となるように立設されている。また、基台２上面２ａの凹部１１の側方には支持部材３と略平行となるように支持部材３と同一形状の支持部材４が立設されており、支持部材３，４の間に凹部１１が配置されるようになっている。なお、本実施例においては、支持部材３，４の幅方向を前後方向と呼び、支持部材３がある方向を左とし、支持部材４がある方向を右とする。  
【００２２】
左側の支持部材３の上部左面には、左方に延びる左支軸５が略水平に取り付けられている。また、左側の支持部材３には、左支軸５を略中心とする下半円状の左ガイド板６が形
成されている。左側の支持部材３は、上端３ａが左支軸５を略中心として略半円状に形成されている。右側の支持部材４の上部右面には、右方に延びる右支軸７が略水平に取り付けられている。また、右側の支持部材４は、右支軸７を略中心とする下半円状の右ガイド板８が形成されている。右側の支持部材４は、上端４ａが右支軸７を略中心として略半円状に形成されている。左支軸５と右支軸７は、略同一軸心上に配置され、左ガイド板６と右ガイド板８は略同じ大きさに形成されている。
【００２３】
基台２上面２ａの凹部１１の外方であって上面２aの前部には略三角板状の案内突起１
２が上面２ａより略垂直に立設されている。また、案内突起１２は、基台２の半径方向であって、かつ、支持部材３，４と略平行となるように形成されている。案内突起１２の後部には、湾曲面１３が形成されている。前記凹部１１の凹部面１５と案内突起１２の湾曲面１３によって、基台２の前後方向に向かって、緩やかに湾曲する案内面１０が形成される。案内面１０は、前記左支軸５及び右支軸７の略軸心を中心とした略半径で形成する曲面となっている。
【００２４】
収容ケース２０は、案内面１０の半径よりも若干小さい半径を有する略球体形状に形成されている。このように形成されていることにより、案内面１０と収納ケース２０の表面との間には若干の隙間が形成されるが、当該隙間は収容物Ａの高さよりは小さく形成されている。また、収容ケース２０は、前半体２１と後半体４１に前後二分割された構造であり、前半体２１と後半体４１が、ネジ、接着剤等の固定手段により接合されて組み立てられている。前半体２１は、下部後端に半円状の下部切り欠き２２が形成され、半円状の下部切り欠き２２を挟んで右側に前右仕切壁２３が形成され、左側に前左仕切壁２５が形成されている。さらに、前半体２１は、前右仕切壁２３の右側に、前右仕切壁２３より高く形成された前右軸受け壁２６が設けられている。前右軸受け壁２６の上部後端には、半円状の上部切り欠き２７が形成されている。前半体２１は、前左仕切壁２５の左側に、前左仕切壁２５より高く形成された前左軸受け壁２８が設けられている。前左軸受け壁２８の上部後端には、半円状の上部切り欠き２９が形成されている。
【００２５】
前半体２１の前右仕切壁２３と前右軸受け壁２６の間の下部には、前記した右側の支持部材４の幅方向略半分の長さの奥行きを有する略コ字状の切り欠き３１が形成されている。同様に、前半体２１の前左仕切壁２５と前左軸受け壁２８の間の下部には、前記した左側の支持部材３の幅方向略半分の長さの奥行きを有する略コ字状の切り欠き３２が形成されている。さらに、前半体２１は、環状の後端周縁に嵌合ピン３５が突設されている。
【００２６】
前半体２１の下部略中央であって、下部切り欠き２２の周縁には、ガイド部材６０が前半体２１の略中心に向けて立設されている。ガイド部材６０は、前記前半体２１の底面２０ａから略直角に立ち上がる第１のガイド縁６１と、第１のガイド縁６１の上端に、第１のガイド縁６１と略直角となるように後方に向かって形成された第２のガイド縁６２と、第２のガイド縁６２の後端から前方に向かって上昇傾斜する第３のガイド縁６３と、第３のガイド縁６３の前端から前方に向かって、第２のガイド縁６２と略平行に形成された第４のガイド縁６４と、第４のガイド縁６４の前端から前半体２１の底面２０ａまで下降傾斜する第５のガイド縁６５とからなる。なお、第１のガイド縁６１の高さは、収容ケース２０内に収容される収容物Ａより若干高く形成されているが、第２のガイド縁６２と収容ケース２０の底面２０ａの間の隙間１６に、収容物Ａが２つ入り込まない高さに形成されている。
【００２７】
後半体４１は、下部前端に半円状の下部切り欠き４２が形成され、半円状の下部切り欠き４２を挟んで右側に後右仕切壁４３が形成され、左側に後左仕切壁４５が形成されている。さらに、後半体４１は、後右仕切壁４３の右側に、後右仕切壁４３より高く形成された後右軸受け壁４６が設けられている。後右軸受け壁４６の上部前端には、半円状の上部
切り欠き４７が形成されている。後半体４１は、後左仕切壁４５の左側に、後左仕切壁４５より高く形成された後左軸受け壁４８が設けられている。後左軸受け壁４８の上部前端には、半円状の上部切り欠き４９が形成されている。
【００２８】
後半体４１の後右仕切壁４３及び後左仕切壁４５は、前半体２１の前右仕切壁２３及び前左仕切壁２５と同じ高さに形成されている。後半体４１の後右軸受け壁４６及び後左軸受け壁４８は、前半体２１の前右軸受け壁２６及び前左軸受け壁２８と同じ高さに形成されている。
【００２９】
後半体４１の後右仕切壁４３と後右軸受け壁４６の間の下部には、前記した右側の支持部材４の幅方向略２倍の長さの奥行きを有する略コ字状の切り欠き５１が形成されている。同様に、後半体４１の後左仕切壁４５と後左軸受け壁４８の間の下部には、前記した左側の支持部材３の幅方向略２倍の長さの奥行きを有する略コ字状の切り欠き５２が形成されている。さらに、後半体４１は、環状の前端周縁に嵌合穴５５が突設されている。
【００３０】
収容ケース２０は、前半体２１の嵌合ピン３５を後半体４１の嵌合穴５５に嵌合すると、前半体２１と後半体４１が位置決めされて接合され、ネジ、接着剤等の固定手段により、前半体２１と後半体４１を固定して組み立てられる。前半体２１の下部切り欠き２２と後半体４１の下部切り欠き４２が接合して、落下口７０が形成される。前半体２１の上部切り欠き２７と後半体４１の上部切り欠き４７が接合して、右軸受孔７１が形成される。前半体２１の上部切り欠き２９と後半体４１の上部切り欠き４９が接合して、左軸受孔７２が形成される。前半体２１の切り欠き３１と後半体４１の切り欠き５１が接合して、ガイド長孔７３が形成される。前半体２１の切り欠き３２と後半体４１の切り欠き５２が接合して、ガイド長孔７４が形成される。
【００３１】
後半体４１には、収容ケース２０内と連通する収容口７６が形成されている。当該収容口７６は、下端に係合爪７７が形成され、上端に係止突起７８が設けられた蓋部材８０によって、塞がれている、蓋部材８０は、係合爪７７を収容口７６の下端周縁に係合させ、係止突起７８を収容口７６の上端周縁に係止させることにより、収容ケース２０に着脱自在に取り付けられる。
【００３２】
収容ケース２０は、基台２に次のようにして回動自在に取り付けられている。基台２の右側の支持部材４は、前半体２１の切り欠き３１と後半体４１の切り欠き５１が接合して形成されるガイド長孔７３に挿設される。基台２の左側の支持部材３は、前半体２１の切り欠き３２と後半体４１の切り欠き５２が接合して形成されるガイド長孔７４に挿設される。収容ケース２０は、基台２の右側の支持部材４の右支軸７に、前半体２１の上部切り欠き２７と後半体４１の上部切り欠き４７が接合して形成される右軸受孔７１が回動自在に取り付けられ、基台２の左側の支持部材３の左支軸５に、前半体２１の上部切り欠き２９と後半体４１の上部切り欠き４９が接合して形成される左軸受孔７２が回動自在に取り付けられ、基台２に対して回動可能となっている。
【００３３】
前記右ガイド板８は、前右仕切壁２３と前右軸受け壁２６との空間及び後右仕切板４３と後右軸受け壁４６との空間に位置し、係る空間内に収容物Ａが入り込むのを阻止する。同様に、前記左ガイド板６は、前左仕切壁２５と前左軸受け壁２８との空間及び後左仕切板４５と後左軸受け壁４８との空間に位置し、係る空間内に収容物Ａが入り込むのを阻止する。
【００３４】
収容ケース２０は、前記左支軸５及び右支軸７の略軸心を中心とした略半径で形成する前記案内面１０よりも若干小さい半径で形成されている。このことにより、落下口７０の周囲７５も前記案内面１０よりも若干小さい半径の湾曲した凸面状となるため、落下口７
０と前記案内面１０は接触せず、若干の隙間が形成される。なお、当該隙間は収容物Ａの高さよりも小さくなるように収容ケース２０は形成されている。また、収容ケース２０は球状形状に形成されていることから、前記案内面１０と落下口７０の周囲７５との間の隙間は略一定となる。さらに、収容ケース２０は、前記左支軸５及び右支軸７の略軸心を中心として前後方向に回動可能である。なお、収容ケース２０は、左支持部材３及び右支持部材４が、ガイド長孔７３、７４の前縁７３ａ，７４ａ又は後縁７３ｂ，７４ｂに当接する範囲、即ち、前半体２１の切り欠き３１及び切り欠き３２の前縁、又は後半体４１の切り欠き５１及び切り欠き５２の後縁に当接する範囲で回動可能となっている。
【００３５】
収容物取出装置１は、上記構成を有し、基台２によって、机等の平坦な場所に載置することができる。収容ケース２０に外力が加わっていないときは、ガイド部材６０が重りとなって、落下口７０が最下部、すなわち、基台２上面２ａの凹部１１の直上に位置している。収容ケース２０の蓋部材８０を外し、収容口７６から収容物Ａを収容ケース２０内に収容することができる。収容物Ａは、ガム、ラムネ、ビー玉等であって、球状に形成されているが、特に形状に限定されるものではない。収容ケース２０に収容物Ａを収容したら、蓋部材８０の係合爪７７を収容口７６の下端周縁に係合させ、蓋部材８０の係止突起７８を収容口７６の上端周縁に係止させて、蓋部材８０により収容口７６を塞ぐ。
【００３６】
収容ケース２０の最下部に位置する収容物Ａが、ガイド部材６０の第２のガイド縁６２と収容ケース２０の底面２０ａの隙間１６を通って、落下口７０に進入して一部が落下口７０から収容ケース２０外方に突出して、案内面１０に当接する。隙間１６は、第１のガイド縁６１から後方に向かって形成されているため、収容物Ａは後方から落下口７０にガイドされる。収容ケース２０が反時計方向に回転すると、落下口７０が上昇し、前記したように隙間１６を通ってくる収容物Ａが連続して落下口７０から落下して、収容物Ａが大量に出てしまうことになる。しかし、収容ケース２０は、ガイド長孔７３、７４の前縁７３ａ，７４ａが左側の支持部材３及び右側の支持部材４に当接するため、反時計方向の回転が規制される。従って、収容ケース２０は、落下口７０が最下部の位置から反時計方向に回転して収容物Ａを大量に流出してしまうことがない。
【００３７】
落下口７０に進入している収容物Ａは、案内面１０上に乗っている。収容ケース２０を時計回転方向に回動させて、収容ケース２０を傾けると、落下口７０が下部の位置から上昇し、落下口７０の周縁によって、落下口７０に進入している収容物Ａも案内面１０に沿って上昇する。落下口７０に進入している収容物Ａの次の収容物Ａは、落下口７０に進入していないため上昇することができず、重力により隙間１６から下方に下がって落下口７０から離間する。落下口７０に進入している収容物Ａは案内面１０から外れると落下口７０から落下して取りだすことができる。前記したように、次の収容物Ａは落下口７０から離れているので落下することがなく、そのため確実に収容物Ａを一つずつ落下させることができる。
【００３８】
収容ケース２０は、左側の支持部材３及び右側の支持部材４が、ガイド長孔７３、７４の後縁７３ｂ，７４ｂに当接するまで、回動させることができる（図５参照）。ガイド部材６０の前方に存在する収容物Ａは、図５に示すように、収容ケース２０を時計方向に回動させると、第５のガイド縁６５によって後方、即ちガイド部材６０の隙間１６側に送られることになる。図４に示すように、収容ケース２０を反時計方向に回動すると、次の収容物Ａが隙間１６を通って、落下口７０に進入する。このように、収容物取出装置Ａは、収容ケース２０を往復回動するだけで、収容物Ａを一つずつ取り出すことができる。
【００３９】
前記右側の支持部材４及び左側の支持部材３は、収容ケース２０の回動方向を規制する規制手段として機能を発揮している。しかし、規制手段は、右側の支持部材４及び左側の支持部材３に限定されるものではなく、種々変更が可能である。また、収容ケース２０は
、球体形状であり、種々のデザインを施すことができるが、球体形状でなくても良く、落下口７０の周囲７５が、前記基台２の案内面１０に接触しない、湾曲した凸部面状に形成されていれば良い。
【００４０】
収容物取出装置１は、収納ケース２０の外観が動物形状に形成されているため、落下口７０から収容物Ａを落下させる動作が、あたかも動物が卵を産んでいるような仕草に近似し、興趣ある装飾玩具として使用することができる。また、収容物取出装置１は、基台２を前方に伸ばして、基台２に受け凹部を形成し、収容物Ａを受け凹部に落下させるようにしても構わない。なお、収容物取出装置１は、収容ケース２０の落下口７０の周囲７５が、前記案内面１０よりも若干小さい半径で形成され、案内面１０と周囲７５の間の隙間が小さいため、当該隙間にゴミが入り難くなっている。
【図面の簡単な説明】
【００４１】
【図１】本願発明に係る収容物取出装置の一つの実施の形態を示す全体斜視図である。
【図２】図１の収容物取出装置の分解斜視図である。
【図３】図１の収容物取出装置の正面断面図である。
【図４】図１の収容物取出装置の側面断面図である。
【図５】図１の収容物取出装置の動作を説明する側面断面図である。
【符号の説明】
【００４２】
Ａ  収容物
１  収容物取出装置
２  基台
２ａ  上面
２ｂ  下面
３  左支持部材（規制手段）
３ａ  上端
４  右支持部材（規制手段）
４ａ  上端
５  左支軸
６  左ガイド板
７  右支軸
８  右ガイド板
１０  案内面
１１  凹部
１２  案内突起
１３  湾曲面
１５  凹部面
１６  隙間
２０  収容ケース
２０ａ  底面
２０ｂ  表面
２０ｃ  収容空間
２１  前半体
２２  下部切り欠き
２３  前右仕切壁
２５  前左仕切壁
２６  前右軸受け壁
２７  上部切り欠き
２８  前左軸受け壁
２９  上部切り欠き
３１  切り欠き
３２  切り欠き
３５  嵌合ピン
４１  後半体
４２  下部切り欠き
４３  後右仕切壁
４５  後左仕切壁
４６  後右軸受け壁
４７  上部切り欠き
４８  後左軸受け壁
４９  上部切り欠き
５１  切り欠き
５２  切り欠き
５５  嵌合穴
６０  ガイド部材
６１  第１のガイド縁
６２  第２のガイド縁
６３  第３のガイド縁
６４  第４のガイド縁
６５  第５のガイド縁
７０  落下口
７０ａ  周縁
７１  右軸受孔
７２  左軸受孔
７３  ガイド長孔
７４  ガイド長孔
７５  周囲
７６  収容口
７７  係合爪
７８  係止突起
８０  蓋部材
【図１】
2005306396.tif 000003
【図２】
2005306396.tif 000004
【図３】
2005306396.tif 000005
【図４】
2005306396.tif 000006
【図５】
2005306396.tif 000007